(57)【要約】  ゲート側リーダライタ装置１１が複数の物品に貼付された各ＩＣタグからタグＩＤを読み取る。読み込みデータ記憶部１２は、ゲート側リーダライタ装置１１が読み取ったタグＩＤを記憶する。比較器１３は、インボイス記憶部１４に記憶されたタグＩＤと読み込みデータ記憶部１２に記憶されたタグＩＤとから、ゲート側リーダライタ装置１１が読み取りを逃したタグＩＤを特定する。比較器１３は、特定したタグＩＤをハンディ型ＲＦＩＤ装置２０に送信する。ハンディ型ＲＦＩＤ装置２０は、このタグＩＤに基づき、ゲート側リーダライタ装置１１が読み取りを逃したＩＣタグを探索する。
2008081551.tif 000002
【特許請求の範囲】
【請求項１】
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと前記第２記憶部が記憶した前記予定ＩＤとを比較することにより、前記リーダ部が読み取りを逃した装置ＩＤをミスＩＤとして特定する特定部と
を備えたことを特徴とする読み取り装置。
【請求項２】
前記特定部は、
特定された前記ミスＩＤを他の装置に送信することを特徴とする請求項１記載の読み取り装置。
【請求項３】
前記特定部は、
前記他の装置として、前記装置ＩＤに基づき前記通信装置を呼び出して無線通信が可能な呼び出し装置に、前記ミスＩＤを送信することを特徴とする請求項２記載の読み取り装置。
【請求項４】
前記特定部は、
前記通信装置の前記装置ＩＤと前記通信装置が装着される前記物品の外観に関する情報である視覚情報とを対応付けて記憶しているデータベース格納部と通信することにより前記ミスＩＤに対応する前記視覚情報を特定することを特徴とする請求項１記載の読み取り装置。
【請求項５】
前記特定部は、
特定された前記ミスＩＤと前記ミスＩＤに対応する前記視覚情報とを他の装置に送信することを特徴とする請求項４記載の読み取り装置。
【請求項６】
前記第２記憶部は、
前記予定ＩＤを格納するデータベース格納部から前記予定ＩＤを取得し、取得された前記予定ＩＤを記憶することを特徴とする請求項１記載の読み取り装置。
【請求項７】
前記読み取り装置は、さらに、
データの書き込みが可能な記録媒体に前記特定部により特定された前記ミスＩＤを書き込むデータ書込部を備えたことを特徴とする請求項１記載の読み取り装置。
【請求項８】
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと、前記第２記憶部が記憶した前記予定ＩＤとを比較することにより、前記リーダ部が読み取りを逃した装置ＩＤをミスＩＤとして特定し、特定された前記ミスＩＤを他の装置に送信する特定部と
を備えた読み取り装置の前記特定部から、
前記ミスＩＤを受信する受信部と、
前記受信部が受信した前記ミスＩＤに基づいて前記ミスＩＤを保有する前記通信装置を呼び出す呼出信号を送信するとともに、呼び出された前記通信装置から前記呼出信号に応答する応答信号を受信する呼出部と、
前記呼出部が前記呼出信号を受信した場合に前記呼出部による前記応答信号の受信があったことを示す受信表示を表示する表示部と
を備えたことを特徴とする呼び出し装置。
【請求項９】
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと前記第２記憶部が記憶した前記予定ＩＤとを比較することにより前記リーダ部が読み取りを逃した装置ＩＤをミスＩＤとして特定するとともに、前記通信装置の前記装置ＩＤと前記通信装置が装着される前記物品の外観に関する情報である視覚情報とを対応付けて記憶しているデータベース格納部と通信することにより前記ミスＩＤに対応する前記視覚情報を特定し、特定された前記ミスＩＤと前記視覚情報とを他の装置に送信する特定部と
を備えた読み取り装置の前記特定部から、
前記ミスＩＤと前記ミスＩＤに対応する前記視覚情報とを受信する受信部と、
前記受信部が受信した前記ミスＩＤを使用して前記ミスＩＤを保有する前記通信装置を呼び出す呼出信号を送信するとともに、呼び出された前記通信装置から前記呼出信号に応答する応答信号を受信する呼出部と、
前記呼出部が前記呼出信号を受信した場合に前記呼出部による呼び出しに使用された前記ミスＩＤに対応する前記視覚情報を表示する表示部と
を備えたことを特徴とする呼び出し装置。
【請求項１０】
コンピュータである読み取り装置に以下の処理を実行させることを特徴とするＩＤ（ＩＤｅｎｔｉｆｉｃａｔｉｏｎ）読み取りプログラム
（１）物品に装着される通信装置であって自己に付与された固有の装置ＩＤを保有するとともに無線信号による呼び出しを受けて無線通信する通信装置を前記無線信号により呼び出し、前記無線通信により前記通信装置から前記装置ＩＤを読み取る処理
（２）読み取った前記装置ＩＤである読取ＩＤを記憶する処理
（３）前記リーダ部が読み取るべき前記装置ＩＤである予定ＩＤを予め記憶する処理
（４）記憶した前記読取ＩＤと、記憶した前記予定ＩＤとを比較することにより、読み取りミスをした装置ＩＤをミスＩＤとして特定する処理。
【請求項１１】
リーダ部と、第１記憶部と、第２記憶部と、特定部とを備えた読み取り装置が行なうＩＤ（ＩＤｅｎｔｉｆｉｃａｔｉｏｎ）読み取り方法において、
前記リーダ部が、物品に装着される通信装置であって自己に付与された固有のＩＤを保有するとともに無線信号による呼び出しを受けて無線通信する通信装置を前記無線信号により呼び出し、前記無線通信により前記通信装置から前記ＩＤを読み取り、
第１記憶部が、前記リーダ部が読み取った前記ＩＤである読取ＩＤを記憶し、
第２記憶部が、前記リーダ部が読み取るべき前記ＩＤである予定ＩＤを予め記憶し、
前特定部が、記第１記憶部が記憶した前記読取ＩＤと、前記第２記憶部が記憶した前記予定ＩＤとを比較することにより、前記リーダ部が読み取りミスをしたＩＤをミスＩＤとして特定することを特徴とするＩＤ読み取り方法。
【発明の詳細な説明】
【技術分野】
【０００１】
この発明は、ＩＣ（Ｉｎｔｅｇｒａｔｅｄ  Ｃｉｒｃｕｉｔ）タグが格納している情報を読み取る読み取り装置及びＩＤ読み取りプログラム及びＩＤ読み取り方法に関する。
【背景技術】
【０００２】
近年、電波を利用した非接触の認識技術であるＲＦＩＤ（Ｒａｄｉｏ  Ｆｒｅｑｕｅｎｃｙ  ＩＤｅｎｔｉｆｉｃａｔｉｏｎ）が様々な分野で利用されている。特に、物流関連で、ＲＦＩＤ導入が進んでいる。物流関連では、いままでは、物品の受け入れ時および出荷時におこなわれる物品の個数チェックや物品の品種チェックは、人手でおこなわれてきた。しかし、ゲート型ＲＦＩＤに代表される物品チェックシステムを利用することにより、物品の一括チェックが可能となり、物品のチェック作業にかかる時間が大幅に改善された。【０００３】
しかし、従来のＲＦＩＤを利用した物品検索は、物品のシリアル番号や製造番号や型名などを含むＩＣタグの情報が読めることが前提になっている。このため、ＩＣタグの情報を読めなかったケースでは、物品検索は、人手に頼らざるをえないのが現状となっている。【０００４】
そのため、周囲の状況や品物の積み方などによりＩＣタグの情報が読めないケースが発生した場合、物品全体から読めなかったＩＣタグが貼付されている物品を人手で探す必要があり、その物品を発見するまでに時間がかかるという課題があった。【０００５】
特開２００５−１７９０５９号公報（特許文献１）では、ＲＦＩＤを利用した保管施設内での物品の検索を容易にするためのシステムが提案されている。この特許文献１では、ＩＣタグから読み込んだ物品識別子に対応する外観データをデータベースより入手し、移動端末などに設けた表示器に外観データを提示することで、物品の検索が容易にするＩＣタグ探索方式が開示されている。しかし、ＩＣタグの情報を読み取りミスしたケースについて、読み取りミスしたＩＣタグが付いている物品の外観データをデータベースより入手し、読み取りミスしたＩＣタグが付いている物品の外観データを移動端末などの表示器に提示することで読み取りミスしたＩＣタグを容易に発見するというような探索方式については、開示されていない。【０００６】
特開２００２−３３８０１３号公報（特許文献２）では、物品管理シール、物品管理コントローラにより、物品の探索や管理を容易に行うシステムが提案されている。この特許文献２では、ＲＦＩＤタグ自身に音出力あるいは光出力などの機能を持たせた物品管理シールを物品に貼り付け、物品コントローラから物品管理シールに対して音出力あるいは光出力などの要求をおこなうことでＩＣタグ自身から音や光などを出力させ物品の検索を容易にするタグ探索方式が開示されている。しかし、音出力や光出力要求が届かなかったＩＣタグを容易に発見する探索方式については、開示されていない。【０００７】
特開２００５−２３７８６９号公報（特許文献３）では、ＩＣタグ、リーダライタを利用した商品情報表示システムが提案されている。この特許文献３では、ＩＣタグ内のメモリに生産者や商品情報など、従来ネットワークを介して入手していた情報コンテンツを格納しておくことで、ネットワークを介すことなく情報コンテンツを入手できるシステムが開示されている。このシステムは、ネットワークへの通信費や情報入手までの時間を効率化する方式であり、読み取りミスしたＩＣタグを容易に発見する探索方式については、開示していない。
【特許文献１】特開２００５−１７９０５９号公報
【特許文献２】特開２００２−３３８０１３号公報
【特許文献３】特開２００５−２３７８６９号公報
【発明の開示】
【発明が解決しようとする課題】
【０００８】
上記のように、従来のゲート型リーダや特開２００５−１７９０５９号公報（特許文献１）や特開２００２−３３８０１３号公報（特許文献２）や特開２００５−２３７８６９号公報（特許文献３）で開示されている方式では、物品のシリアル番号や製造番号や型名などを含むＩＣタグの情報が読めることが前提になっており、読み取りミスが発生した場合、読み取りミスしたＩＣタグを容易に発見する探索方式については、開示されていない。そのため、ＩＣタグが読めないケースが発生すると物品全体から読めなかったＩＣタグを人手で探す必要があり、発見するまでに時間がかかるという課題があった。【０００９】
本発明は、ＩＣタグの読み取りミスが発生した場合、読み取りミスしたＩＣタグを容易に発見する探索方式を提供することを目的とする。
【課題を解決するための手段】
【００１０】
この発明の読み取り装置は、
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと前記第２記憶部が記憶した前記予定ＩＤとを比較することにより、前記リーダ部が読み取りを逃した装置ＩＤをミスＩＤとして特定する特定部と
を備えたことを特徴とする。【００１１】
前記特定部は、
特定された前記ミスＩＤを他の装置に送信することを特徴とする。【００１２】
前記特定部は、
前記他の装置として、前記装置ＩＤに基づき前記通信装置を呼び出して無線通信が可能な呼び出し装置に、前記ミスＩＤを送信することを特徴とする。【００１３】
前記特定部は、
前記通信装置の前記装置ＩＤと前記通信装置が装着される前記物品の外観に関する情報である視覚情報とを対応付けて記憶しているデータベース格納部と通信することにより前記ミスＩＤに対応する前記視覚情報を特定することを特徴とする。【００１４】
前記特定部は、
特定された前記ミスＩＤと前記ミスＩＤに対応する前記視覚情報とを他の装置に送信することを特徴とする。【００１５】
前記第２記憶部は、
前記予定ＩＤを格納するデータベース格納部から前記予定ＩＤを取得し、取得された前記予定ＩＤを記憶することを特徴とする。【００１６】
前記読み取り装置は、さらに、
データの書き込みが可能な記録媒体に前記特定部により特定された前記ミスＩＤを書き込むデータ書込部を備えたことを特徴とする。【００１７】
この発明の呼び出し装置は、
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと、前記第２記憶部が記憶した前記予定ＩＤとを比較することにより、前記リーダ部が読み取りを逃した装置ＩＤをミスＩＤとして特定し、特定された前記ミスＩＤを他の装置に送信する特定部と
を備えた読み取り装置の前記特定部から、
前記ミスＩＤを受信する受信部と、
前記受信部が受信した前記ミスＩＤに基づいて前記ミスＩＤを保有する前記通信装置を呼び出す呼出信号を送信するとともに、呼び出された前記通信装置から前記呼出信号に応答する応答信号を受信する呼出部と、
前記呼出部が前記呼出信号を受信した場合に前記呼出部による前記応答信号の受信があったことを示す受信表示を表示する表示部と
を備えたことを特徴とする。【００１８】
この発明の呼び出し装置は、
物品に装着される通信装置であって自己に付与された固有の装置ＩＤ（ＩＤｅｎｔｉｆｉｃａｔｉｏｎ）を保有するとともに無線信号による呼び出しを受けて無線通信する通信装置を前記無線信号により呼び出し、前記無線通信により前記通信装置から前記装置ＩＤを読み取るリーダ部と、
前記リーダ部が読み取った前記装置ＩＤである読取ＩＤを記憶する第１記憶部と、
前記リーダ部が読み取るべき前記装置ＩＤである予定ＩＤを予め記憶する第２記憶部と、
前記第１記憶部が記憶した前記読取ＩＤと前記第２記憶部が記憶した前記予定ＩＤとを比較することにより前記リーダ部が読み取りを逃した装置ＩＤをミスＩＤとして特定するとともに、前記通信装置の前記装置ＩＤと前記通信装置が装着される前記物品の外観に関する情報である視覚情報とを対応付けて記憶しているデータベース格納部と通信することにより前記ミスＩＤに対応する前記視覚情報を特定し、特定された前記ミスＩＤと前記視覚情報とを他の装置に送信する特定部と
を備えた読み取り装置の前記特定部から、
前記ミスＩＤと前記ミスＩＤに対応する前記視覚情報とを受信する受信部と、
前記受信部が受信した前記ミスＩＤを使用して前記ミスＩＤを保有する前記通信装置を呼び出す呼出信号を送信するとともに、呼び出された前記通信装置から前記呼出信号に応答する応答信号を受信する呼出部と、
前記呼出部が前記呼出信号を受信した場合に前記呼出部による呼び出しに使用された前記ミスＩＤに対応する前記視覚情報を表示する表示部と
を備えたことを特徴とする。【００１９】
この発明のＩＤ（ＩＤｅｎｔｉｆｉｃａｔｉｏｎ）読み取りプログラムは、コンピュータである読み取り装置に以下の処理を実行させることを特徴とする。
（１）物品に装着される通信装置であって自己に付与された固有の装置ＩＤを保有するとともに無線信号による呼び出しを受けて無線通信する通信装置を前記無線信号により呼び出し、前記無線通信により前記通信装置から前記装置ＩＤを読み取る処理
（２）読み取った前記装置ＩＤである読取ＩＤを記憶する処理
（３）前記リーダ部が読み取るべき前記装置ＩＤである予定ＩＤを予め記憶する処理
（４）記憶した前記読取ＩＤと、記憶した前記予定ＩＤとを比較することにより、読み取りミスをした装置ＩＤをミスＩＤとして特定する処理。【００２０】
この発明のＩＤ読み取り方法は、
リーダ部と、第１記憶部と、第２記憶部と、特定部とを備えた読み取り装置が行なうＩＤ（ＩＤｅｎｔｉｆｉｃａｔｉｏｎ）読み取り方法において、
前記リーダ部が、物品に装着される通信装置であって自己に付与された固有のＩＤを保有するとともに無線信号による呼び出しを受けて無線通信する通信装置を前記無線信号により呼び出し、前記無線通信により前記通信装置から前記ＩＤを読み取り、
第１記憶部が、前記リーダ部が読み取った前記ＩＤである読取ＩＤを記憶し、
第２記憶部が、前記リーダ部が読み取るべき前記ＩＤである予定ＩＤを予め記憶し、
前特定部が、記第１記憶部が記憶した前記読取ＩＤと、前記第２記憶部が記憶した前記予定ＩＤとを比較することにより、前記リーダ部が読み取りミスをしたＩＤをミスＩＤとして特定することを特徴とする。
【発明の効果】
【００２１】
この発明により、物品に貼付されたＩＣタグに対して読み取りミスが発生した場合、そのＩＣタグが貼付されている物品を容易に発見することができる。
【発明を実施するための最良の形態】
【００２２】
実施の形態１．
図１〜図７を用いて実施の形態１を説明する。以下の実施の形態１では、あらかじめ、物品リストや納品書などの「インボイスデータ」をデータベースに格納しておく。「インボイスデータ」は、物品の受け入れ時であれば、受け入れに時に読み取るべきＩＣタグのタグＩＤ（以下、予定ＩＤという場合がある）を含んでいる。物品の受け入れ時に先立ち、実施の形態１のゲート型ＲＦＩＤ装置１０は、データベース格納部から予定ＩＤを取得しておく。そして、ゲート型ＲＦＩＤ装置１０は、ＩＣタグに対する読み取りミスが発生した場合、読み込めたタグ情報（読み取れたタグＩＤ（以下、読取ＩＤという場合がある））と「インボイスデータ」（予定ＩＤ）とを比較する。これにより、ゲート型ＲＦＩＤ装置１０は、予定ＩＤと読取ＩＤとの差分から、読み取りミスしたＩＣタグのタグＩＤ（以下、ミスＩＤという場合がある）を特定する。また、タグＩＤとそのタグＩＤを保有するＩＣタグが装着された物品との対応関係が、データベース格納部の格納するインボイス情報で管理されている。このため、ミスＩＤからそのミスＩＤを保有するＩＣタグが貼付されている物品が、特定可能となる。また、実施の形態１では、データベース格納部が、タグＩＤとそのタグＩＤを保有するＩＣタグが装着される物品の外観に関する情報である「視覚情報」とを対応付けて記憶している。ゲート型ＲＦＩＤ装置１０は、特定された前記「ミスＩＤ」を使用して、読み取りミスしたタグが貼付されている物品に関する形状や寸法や色などの「視覚情報」をデータベース格納部から入手する。この「視覚情報」を用いることで、読み取りミスしたＩＣタグが貼付されている物品を、発見することがさらに容易となる。【００２３】
以下ではＩＣタグを読むという場合があるが、ＩＣタグに格納されている情報を読み取るという意味である。また、ＲＦＩＤ装置１０は「ゲート型」としているが、これは一例である。【００２４】
図１は、ゲート型ＲＦＩＤ装置１０のハードウェア構成図である。ハンディ型ＲＦＩＤ装置２０のハードウェア構成図も同様である。図１において、ゲート型ＲＦＩＤ装置１０は、プログラムを実行するＣＰＵ８１０（中央処理装置、処理装置、演算装置、マイクロプロセッサ、マイクロコンピュータ、プロセッサともいう）を備えている。ＣＰＵ８１０は、バス８１１を介してＲＯＭ（Ｒｅａｄ  Ｏｎｌｙ  Ｍｅｍｏｒｙ）８１２、ＲＡＭ（Ｒａｎｄｏｍ  Ａｃｃｅｓｓ  Ｍｅｍｏｒｙ）８１３、表示装置８１４、第１通信部８１５、第２通信部８１６、フラッシュメモリ８２０と接続され、これらのハードウェアデバイスを制御する。フラッシュメモリ８２０の代わりに、磁気ディスク装置を用いても良い。【００２５】
ＲＡＭ８１３は、揮発性メモリの一例である。ＲＯＭ８１２、フラッシュメモリ８２０等の記憶媒体は、不揮発性メモリの一例である。これらは、記憶装置あるいは記憶部、格納部の一例である。【００２６】
第１通信部８１５は後述のＩＣタグ（通信装置）と無線通信する。第２通信部８１６は後述のホストＰＣと通信する。【００２７】
フラッシュメモリ８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。【００２８】
プログラム群８２３には、ゲート型ＲＦＩＤ装置１０を制御するプログラムが記憶されている。【００２９】
また、以下に述べる実施の形態１の説明において「〜部」、「リーダライタ装置」として説明するものは、「〜回路」、「〜装置」、「〜機器」、「手段」であってもよく、また、「〜ステップ」、「〜手順」、「〜処理」であってもよい。すなわち、「〜部」として説明するものは、ＲＯＭ８１２に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムは、以下に述べる「〜部」、あるいは「リーダライタ装置」としてコンピュータを機能させるものである。あるいは、以下に述べる「〜部」、「リーダライタ装置」の手順や方法をコンピュータに実行させるものである。【００３０】
図２は、本実施の形態１におけるＩＣタグ読み取りシステム１０００のシステム構成を示す図である。ＩＣタグ読み取りシステム１０００は、ゲート型ＲＦＩＤ装置１０と、ハンディ型ＲＦＩＤ装置２０とを備える。【００３１】
ゲート型ＲＦＩＤ装置１０は、ゲート側リーダライタ装置１１（リーダ部）、読込データ記憶部１２（第１記憶部）、比較器１３（特定部）、インボイス記憶部１４（第２記憶部）、ゲート側Ｉ／Ｆ部１５、データ書込部１６、アンテナ１７を備える。【００３２】
（１）ゲート側リーダライタ装置１１は、物品に貼付されたＩＣタグ（通信装置の一例）を無線信号で呼び出しを行い、無線通信によりＩＣタグからタグ情報を読み込む。このタグ情報には、そのＩＣタグに固有に付与されているタグＩＤ（ＩＤｅｎｔｉｆｉｃａｔｉｏｎ：装置ＩＤの一例）が含まれている。
（２）読込データ記憶部１２は、ゲート側リーダライタ装置１１が読み込んだ「タグＩＤ、物品のシリアル番号や製造番号や型名などを含むＩＣタグの情報」を格納する。
（３）比較器１３は、読み取りミスしたＩＣタグ（ミスＩＤ）を特定する。
（４）インボイス記憶部１４は、物品リストや納品書などの「インボイスデータ」を格納する。実施の形態１の冒頭で述べたように、「インボイスデータ」には、予定ＩＤが含まれている。
（５）ゲート側Ｉ／Ｆ部１５は、ホストＰＣ６０とデータの送受信をおこなう。
（６）データ書込部１６は、データの書き込みが可能な記録媒体４０に、比較器１３により特定されたミスＩＤを書き込む。ハンディ型ＲＦＩＤ装置２０は、記録媒体４０を接続し、ミスＩＤを読み取ることができる。
（１７）アンテナ１７は、電波の送受信を行う。【００３３】
ハンディ型ＲＦＩＤ装置２０は、ハンディ側リーダライタ装置２１（呼出部）、表示部２２、ハンディ側Ｉ／Ｆ部２３（受信部）、アンテナ２４を備える。【００３４】
（１）ハンディ側リーダライタ装置２１は、読み取りミスしたＩＣタグの探索をおこなう。すなわち、ハンディ側リーダライタ装置２１は、ハンディ側Ｉ／Ｆ部２３が受信したタグＩＤ（ミスＩＤ）に基づいて、そのＩＤを保有するＩＣタグを呼び出す呼出信号を送信するとともに、そのＩＣから前記呼出信号に応答する応答信号を受信する。
（２）表示部２２は、読み取りミスした物品のシリアル番号や製造番号や型名などを含むＩＣタグの情報を表示する。また、表示部２２は、ハンディ側リーダライタ装置２１が前記の応答信号を受信した場合に、後述の「受信表示」を表示する。また、表示部２２は、「視覚情報」を表示する。
（３）ハンディ側Ｉ／Ｆ部２３は、ホストＰＣ６０とデータの送受信をおこなう。また、ハンディ側Ｉ／Ｆ部２３は、記録媒体４０と接続し、記録媒体４０から読み取りミスしたＩＣタグのミスＩＤを読み込むことも可能である。
（４）アンテナ２４は、読み取りミスしたＩＣタグを探索するため電波の送受信を行う。【００３５】
実施の形態１のＩＣタグは、ゲート型ＲＦＩＤ装置１０、ハンディ型ＲＦＩＤ装置２０と通信可能である。なお、以下では、ＩＣタグ５０はゲート型ＲＦＩＤ装置１０がタグ情報を読み取ることができたＩＣタグを示し、物品５０ｂはＩＣタグ５０が貼付されている物品とする。また、ＩＣタグ１００はゲート型ＲＦＩＤ装置１０がタグ情報を読み取ることができなかったＩＣタグを示し、物品１００ｂはＩＣタグ１００が貼付されている物品とする。【００３６】
ホストＰＣ（Ｐｅｒｓｏｎａｌ  Ｃｏｍｐｕｔｅｒ）６０は、前記ゲート型ＲＦＩＤ装置１０およびハンディ型ＲＦＩＤ装置２０を制御する。ホストＰＣ６０は、ＰＣ表示装置６１を備える。【００３７】
データベース格納部７０には、物品リストや納品書などの「インボイスデータ」が格納されている。【００３８】
図３は、ＩＣタグ読み取りシステム１０００の動作の概要を説明する図である。図３は、ＩＣタグが貼付された物品が複数積み込まれた状態で運ばれてくる場合を示している。図３は、ゲート型ＲＦＩＤ装置１０が複数の物品のＩＣタグを一括して読み込んだときに、ＩＣタグ１００について読み取りミスが発生し、ハンディ型ＲＦＩＤ装置２０により「ＩＣタグ１００が貼付された物品１００ｂ」が発見されるまでの動作を示している。なお、図３の具体的な処理内容は、図５のフローチャートで後述する。図３に示すように、ホストＰＣ６０は、「物品リスト」のデータベースを格納するデータベース格納部７０と接続している。ゲート型ＲＦＩＤ装置１０は、このホストＰＣ６０に接続されている。【００３９】
動作の概要は次の様である。ゲート型ＲＦＩＤ装置１０は、データベース格納部７０から「物品リスト」（予定ＩＤを含むインボイスデータ）の情報を取得する。「物品リスト」の取得後、ゲート型ＲＦＩＤ装置１０は、積み込まれた物品に貼付されたＩＣタグ(タグＩＤ）を一括して読み込む。そして、ゲート型ＲＦＩＤ装置１０は、読み込んだ読取ＩＤと、取得した「物品リスト」（予定ＩＤ）とを照合し、ミスＩＤを特定する。そして、ゲート型ＲＦＩＤ装置１０は、読み取りミスしたＩＣタグ１００の情報（ミスＩＤ）を無線ＬＡＮ８０（Ｌｏｃａｌ  Ａｒｅａ  Ｎｅｔｗｏｒｋ）などにより、ハンディ型ＲＦＩＤ装置２０に送信する。【００４０】
（ハンディ型ＲＦＩＤ装置２０）
ハンディ型ＲＦＩＤ装置２０は、ゲート型ＲＦＩＤ装置１０から送信された情報（ミスＩＤ）に基づき、積み込まれた物品の中から読み取りミスされたＩＣタグ１００を探索する。以上の処理により、読み取りミスされたＩＣタグ１００が貼付されている物品１００ｂを容易に発見することができる。【００４１】
（視覚情報の利用）
図４は、「視覚情報」を用いる場合のＩＣタグ読み取りシステム１０００の動作の概要を示す図である。「視覚情報」を用いることにより、作業者は、読み取りミスされたＩＣタグ１００が貼付されている物品１００ｂを、視覚的に探すことが可能となる。これにより、読み取りミスしたＩＣタグが貼付されている物品を効率よく発見することができる。「視覚情報」とは、前記のように、ＩＣタグが貼付されている物品の外観に関する情報であって、物品の形状や寸法や色などの情報である。図４に示すように、「視覚情報」は、最終的にはハンディ型ＲＦＩＤ装置２０の表示部２２に表示される。「視覚情報」は画像情報でもよいし文字情報でもよい。なお、図４の具体的な処理は、図６のフローチャートの説明で後述する。【００４２】
図４のシステム構成は、図３の場合と同様である。なお、データベース格納部７０は、タグＩＤと、そのタグＩＤを保有するＩＣタグが貼付される物品の「視覚情報」との対応情報を備える。これについては、図７で後述する。【００４３】
動作の概要は次の様である。読み取りミスされたＩＣタグ１００を特定するまでの処理は、図３と同じである。ゲート型ＲＦＩＤ装置１０は、読み取りミスされたＩＣタグ１００を特定すると、読み取りミスされたＩＣタグ１００の「タグＩＤ」（ミスＩＤ）をキーとしてデータベース格納部７０を検索し、その「タグＩＤ」に対応する「視覚情報」を特定する。すなわち、ゲート型ＲＦＩＤ装置１０は、ＩＣタグ１００が貼付されている物品１００ｂの「視覚情報」をデータベース格納部７０において特定する。そして、ゲート型ＲＦＩＤ装置１０は、ホストＰＣ６０のＰＣ表示装置６１に、物品１００ｂの「視覚情報」を表示する。また、同時に、ゲート型ＲＦＩＤ装置１０は、ＩＣタグ１００の「タグＩＤ」と物品１００ｂの「視覚情報」とを、無線ＬＡＮ８０を経由してハンディ型ＲＦＩＤ装置２０へ送信する。【００４４】
（ハンディ型ＲＦＩＤ装置２０）
作業者は、ハンディ型ＲＦＩＤ装置２０のリーダライタ機能を使用し、ゲート型ＲＦＩＤ装置１０から受信した「タグＩＤ」に基づいて、積み込まれた物品の中から読み取りミスされたＩＣタグ１００が添付されている物品１００ｂを探索する。また同時に、ハンディ型ＲＦＩＤ装置２０は、表示部２２にゲート型ＲＦＩＤ装置１０から送信された物品１００ｂの「視覚情報」を表示する。これにより、作業者は、視覚的に物品１００ｂを検索することができる。【００４５】
図５は、図３の処理を具体的に表すフローチャートである。図５を用いて、図３で説明した処理概要の詳細を説明する。【００４６】
ステップ１０１において、ホストＰＣ６０は、自己に接続されているデータベース格納部７０に、受け入れ時、あるいは出荷時における物品リストの情報あるいは納品書の情報（これらは予定ＩＤを含む）などを、あらかじめ「インボイスデータ」として格納する。ゲート型ＲＦＩＤ装置１０のインボイス記憶部１４は、物品を受け入れるのであれば物品の受け入れ前に、物品を出荷するのであれば物品の出荷前に、データベース格納部７０から、受け入れ、あるいは出荷の対象となる物品のインボイスデータを取得し格納する。インボイスデータには、ゲート型ＲＦＩＤ装置１０が読み取る予定となっている予定ＩＤが含まれる。【００４７】
ステップ１０２において、ゲート型ＲＦＩＤ装置１０のゲート側リーダライタ装置１１は、物品に貼付されたＩＣタグ（タグＩＤを含む）を一括して読み込む。【００４８】
ステップ１０３において、読込データ記憶部１２は、ゲート側リーダライタ装置１１により読み込まれた読取ＩＤを格納する。【００４９】
ステップ１０４において、比較器１３は、読込データ記憶部１２が格納した読取ＩＤと、インボイス記憶部１４が格納している予定ＩＤとを比較する。比較器１３は、読取ＩＤと予定ＩＤとの差分を判定する。例えば、比較器１３は、予定ＩＤが「００９９」、「０１００」、「０１０１」であり、読取ＩＤが「００９９」、「０１０１」である場合、これらの差分を判定する。【００５０】
ステップ１０５において、比較器１３は、比較の結果、比較した結果が同じ場合は（差分が無い場合）、ＩＣタグの読み取りミスが発生しなかったと判断し、処理を完了する。比較器１３は、比較した結果が異なっていた場合は、ステップ１０６に進む。【００５１】
（Ｓ１０６）
ステップ１０６において、比較器１３は、読込データ記憶部１２に格納されている読取ＩＤと、インボイスデータ記憶部に格納されている予定ＩＤとから、ゲート側リーダライタ装置１１が読み取りミスした「ミスＩＤ」を特定する。Ｓ１０４の例では、比較器１３は、差分より、「０１００」をミスＩＤと特定する。【００５２】
ステップ１０７において、比較器１３は、ステップ１０６で特定した「ミスＩＤ」である「０１００」を、ホストＰＣ６０を介してハンディ型ＲＦＩＤ装置２０に送信する。【００５３】
（ハンディ型ＲＦＩＤ装置２０）
ステップ１０８において、ハンディ型ＲＦＩＤ装置２０は、ステップ１０７で送信された「ミスＩＤ」の「０１００」をハンディ側Ｉ／Ｆ部２３により受信する。ハンディ側リーダライタ装置２１は、「ミスＩＤ」の「０１００」に基づき、ＩＣタグ１００の呼び出しを行い、探索する。例えば、作業者は、ハンディ型ＲＦＩＤ装置２０を物品に近づけて、ゲート側リーダライタ装置１１が読み取りミスしたＩＣタグ１００を探索する。すなわち、ハンディ側リーダライタ装置２１は、ハンディ側Ｉ／Ｆ部２３が受信したミスＩＤの「０１００」に基づいて、このミスＩＤを保有するＩＣタグ１００を呼び出す呼出信号を送信する。ＩＣタグ１００がこの呼出信号に応答する応答信号を送信すると、ハンディ側リーダライタ装置２１は、応答信号を受信する。そして、表示部２２は、ハンディ側リーダライタ装置２１がＩＣタグ１００から応答信号を受信した場合には、応答信号の受信があったことを示す「受信表示」を表示する。これにより、作業員は、ＩＣタグ１００が貼付された物品１００ｂを容易に見つけることができる。すなわち、作業者は、物品１００ｂの存在を確認することができる。【００５４】
次に、図６を用いて、「視覚情報」を用いる図４の処理フロー詳細を説明する。図６のステップ２０１〜ステップ２０５までは、図５と同様である。このため、ステップ２０１〜ステップ２０５の説明は省略し、ステップ２０６から説明する。【００５５】
ステップ２０６において、比較器１３は、ゲート側リーダライタ装置１１が読み取りミスしたＩＣタグ１００の「タグＩＤ」（「０１００」）を特定する。これはステップ１０６と同様である。【００５６】
ステップ２０７において、比較器１３は、ステップ２０６で特定したミスＩＤの「０１００」に基づいて、ミスＩＤの「０１００」に対応した物品１００ｂの形状や寸法や色などの外観に関する情報である「視覚情報」をデータベース格納部７０において特定するとともに、ホストＰＣ６０のＰＣ表示装置６１に物品１００ｂの「視覚情報」を表示させる。図７に示すように、データベース格納部７０では、タグＩＤと「視覚情報」とが対応付けて記憶されている。【００５７】
ステップ２０８では、比較器１３は、ステップ２０６で特定したミスＩＤと、ステップ２０７で特定した「視覚情報」とをホストＰＣ６０を介してハンディ型ＲＦＩＤ装置２０に送信する。この例では、比較器１３は、ミスＩＤである「０１００」と、物品１００ｂの「視覚情報」とを、ホストＰＣ６０を介してハンディ型ＲＦＩＤ装置２０に送信する。【００５８】
（ハンディ型ＲＦＩＤ装置２０）
ステップ２０９では、ハンディ型ＲＦＩＤ装置２０は、物品１００ｂの「視覚情報」と「ミスＩＤ」である「０１００」とをハンディ側Ｉ／Ｆ部２３を介して受信する。そして、表示部２２は、ハンディ側Ｉ／Ｆ部２３が受信した物品１００ｂの「視覚情報」を格納し、必要に応じて表示する。【００５９】
ステップ２１０は、ステップ１０８と同様である。ハンディ側リーダライタ装置２１は、ミスＩＤを保有するＩＣタグの呼び出しを行い、ＩＣタグ１００を探索する。すなわち、作業者は、ハンディ型ＲＦＩＤ装置２０を物品に近づけて、読み取りミスされたＩＣタグ１００の添付された物品１００ｂを探索する。図４に示したように、表示部２２は、物品１００ｂの「視覚情報」を表示する。よって、作業者は、この表示を参照して容易に物品１００ｂを容易に見つけることができる。【００６０】
以上のように、ゲート型ＲＦＩＤ装置に代表される物品チェックシステムによる物品の一括チェックをおこなったときに、読み取りミスが発生した場合、従来は、読み取りミスしたＩＣタグを人手で探していたため、発見するまでに時間がかかるという課題があった。【００６１】
しかし、物品リストや納品書などのインボイスデータを事前に用意しておき、読み込みんだデータとインボイスデータとを比較する比較機能をＲＦＩＤ装置に追加し、読み取りミスしたＩＣタグ１００が添付された物品１００ｂをハンディ型ＲＦＩＤ装置２０を利用して探索する。これにより、従来の人手で探していた時間に比較して探索時間が大幅に短縮することが可能となる。【００６２】
また、従来のＲＦＩＤ装置に追加する、読み込んだデータとインボイスデータとを比較する比較機能は、ＲＦＩＤ装置内ではなく、ホストＰＣ６０やハンディ型ＲＦＩＤ装置に実装しても同じ結果が得られる。【００６３】
以上の実施の形態１では、以下のゲート型ＲＦＩＤ装置１０を説明した。すなわち、ＩＣタグと無線通信を行うゲート型ＲＦＩＤ装置において、物品のシリアル番号や製造番号や型名などを含むタグ情報を読み込むリーダライタ装置と、前記リーダライタ装置が読込んだ「タグ情報」を格納する読込データ記憶部と、物品リストや納品書などのインボイスデータを格納したデータベースを制御するホストＰＣからのデータを受信するゲート側Ｉ／Ｆ部と、ゲート側Ｉ／Ｆ部が受信したインボイスデータを格納するインボイス記憶部と、読込データ記憶部のデータとインボイス記憶部のデータとを比較し、読み取りミスしたタグを特定する比較器とを備え、前記ゲート側Ｉ／Ｆ部は、比較器による比較結果をホストＰＣに送信するゲート型ＲＦＩＤ装置。【００６４】
以上の実施の形態１では、以下のハンディ型ＲＦＩＤ装置２０を説明した。すなわち、前記タグ情報と視覚情報とをゲート型ＲＦＩＤ装置からホストＰＣを介して受信するハンディ側Ｉ／Ｆ部と、ハンディ側Ｉ／Ｆ部が受信した前記タグ情報、前記視覚情報を表示する表示部と、ハンディ側Ｉ／Ｆ部が受信したタグ情報に基づき、読み取りミスしたＩＣタグの探索をおこなうハンディ側リーダライタ装置とを備えたハンディ型ＲＦＩＤ装置。
【図面の簡単な説明】
【００６５】
【図１】ゲート型ＲＦＩＤ装置１０とハンディ型ＲＦＩＤ装置２０とのハードウェア構成図。
【図２】ＩＣタグ読み取りシステム１０００のシステム構成図。
【図３】ＩＣタグ読み取りシステム１０００の動作の概要を説明する図。
【図４】「視覚情報」を用いる場合のＩＣタグ読み取りシステム１０００の動作の概要を示す図。
【図５】図３の具体的な処理内容を示すフローチャート。
【図６】図４の具体的な処理内容を示すフローチャート。
【図７】データベース格納部が有するタグＩＤと視覚情報との関係情報を示す図。
【符号の説明】
【００６６】
１０  ゲート型ＲＦＩＤ装置、１１  ゲート側リーダライタ装置、１２  読込データ記憶部、１３  比較器、１４  インボイス記憶部、１５  ゲート側Ｉ／Ｆ部、１６  データ書込部、１７  アンテナ、２０  ハンディ型ＲＦＩＤ装置、２１  ハンディ側リーダライタ装置、２２  表示部、２３  ハンディ側Ｉ／Ｆ部、２４  アンテナ、４０  記録媒体、５０  ＩＣタグ、５０ｂ  物品、６０  ホストＰＣ、６１  ＰＣ表示装置、７０  データベース格納部、８０  無線ＬＡＮ、１００  ＩＣタグ、１００ｂ  物品、８１０  ＣＰＵ、８１１  バス、８１２  ＲＯＭ、８１３  ＲＡＭ、８１４  表示装置、８１５  第１通信部、８１６  第２通信部、８２０  フラッシュメモリ、８２１  ＯＳ、８２３  プログラム群、８２４  ファイル群、１０００  ＩＣタグ読み取りシステム。
【図１】
2008081551.tif 000003
【図２】
2008081551.tif 000004
【図３】
2008081551.tif 000005
【図４】
2008081551.tif 000006
【図５】
2008081551.tif 000007
【図６】
2008081551.tif 000008
【図７】
2008081551.tif 000009
【国際調査報告】
2008081551.tif 000010
2008081551.tif 000011